(57)【特許請求の範囲】
【請求項１】
壁面等に取り付けられると共にその中央部に突起部を有するケース本体と、
壁面等に対して前後方向に揺動自在に前記ケース本体に取り付けられると共に揺動中心より下方に係止部が形成され且つ下端部が前記ケース本体より下方に延出して操作レバーを形成する揺動部材と、
前記ケース本体内に直立して配置されると共にその中央部の背面が前記ケース本体の突起部に接触し且つ下部の前面が前記揺動部材の係止部に接触するスティック状の化学発光体と、
前記ケース本体に対して前記化学発光体の上端部を固定する押さえ部材と
を備え、前記操作レバーを壁面等に向かって押すことにより前記化学発光体は前記揺動部材の係止部に接触する下部が押し込まれ、前記ケース本体の突起部に接触する中央部で折り曲げられて発光することを特徴とする非常用ライト。
【請求項２】
前記押さえ部材は、前記揺動部材の上端部に係合すると共に前記揺動部材の揺動動作に連動して上下方向に回動自在に前記ケース本体に取り付けられ、前記化学発光体が発光した後にさらに前記操作レバーを壁面等に向かって押したときに上方へ回動して前記化学発光体の上端部を解放することを特徴とする請求項１に記載の非常用ライト。
【請求項３】
前記ケース本体の前部を覆い且つ前記ケース本体の下端部を中心として開閉自在に取り付けられた上蓋を備え、この上蓋は前記操作レバーを壁面等に向かって押したときに前記揺動部材の上端部により押されて開くことを特徴とする請求項１または２に記載の非常用ライト。
【請求項４】
壁面等に取り付けられるケース本体と、
前記ケース本体内に保持されるスティック状の化学発光体と、
前記化学発光体の中央部の近傍に回転自在に設けられると共にその回転角度に応じて前記化学発光体を押圧して折り曲げる押圧治具と、
前記押圧治具に連結された取っ手と
を備え、前記取っ手を回すことにより前記押圧治具を介して前記化学発光体を折り曲げ、発光させることを特徴とする非常用ライト。
【請求項５】
前記ケース本体の前部を覆うように開閉自在に設けられると共に前記押圧治具及び前記取っ手を保持する上蓋を備えたことを特徴とする請求項４に記載の非常用ライト。
【発明の詳細な説明】
【０００１】
【発明の属する技術分野】
この発明は、非常用ライトに係り、特に化学発光体を収納した電源不要の非常用ライトに関する。
【０００２】
【従来の技術】
従来、この種の電源不要の非常用ライトとして、米国特許第５，４４６，６２９号に開示されたものがある。この非常用ライトは、図１０に示されるように、ケース本体１を壁面２等に取り付けた状態で、カバー３の上部を手前に引くと、カバー３はその下端部を中心として回動し、そのときカバー３の内側に形成されたフック４によって内部に収納されたスティック状の化学発光体５の上半部が手前に折られ、これにより化学発光体５が発光するものである。化学発光体５は、第１の反応液が充填された軟質プラスチック製のスティックの内部に、第２の反応液が充填されたガラス製のアンプルを収納した二重構造を有しており、化学発光体５を破線のように折ると、アンプルが破損して第１の反応液と第２の反応液とが混合・反応することにより発光する。
【０００３】
このような非常用ライトによれば、電池等の電源を何ら用いることなく、停電等の非常時にカバー３を手動で開けると同時に化学発光体５を発光させ、その場で非常用の照明として用いたり、あるいは化学発光体５を取り出して避難を行うことができる。
【０００４】
【発明が解決しようとする課題】
しかしながら、図１０に示されるように、ケース本体１とカバー３との間に直立する化学発光体５の上半部をカバー３と共に手前に引いて化学発光体５を折るために、強い力でカバー３を引かなければならなかった。このため、ケース本体１を頑丈な壁面２に堅固に取り付ける必要があった。また、化学発光体５を取り出すためには、図１０の破線のように化学発光体５を折って発光させた後に、化学発光体５の上部がカバー３のフック４から抜けるまでカバー３をさらに大きく手前に開く操作が必要であった。
【０００５】
この発明はこのような問題点を解消するためになされたもので、小さな力でも容易に化学発光体を発光させて取り出すことができる非常用ライトを提供することを目的とする。
【０００６】
【課題を解決するための手段】
第１の発明に係る非常用ライトは、壁面等に取り付けられると共にその中央部に突起部を有するケース本体と、壁面等に対して前後方向に揺動自在にケース本体に取り付けられると共に揺動中心より下方に係止部が形成され且つ下端部がケース本体より下方に延出して操作レバーを形成する揺動部材と、ケース本体内に直立して配置されると共にその中央部の背面がケース本体の突起部に接触し且つ下部の前面が揺動部材の係止部に接触するスティック状の化学発光体と、ケース本体に対して化学発光体の上端部を固定する押さえ部材とを備え、操作レバーを壁面等に向かって押すことにより化学発光体は揺動部材の係止部に接触する下部が押し込まれ、ケース本体の突起部に接触する中央部で折り曲げられて発光するものである。
【０００７】
なお、押さえ部材を、揺動部材の上端部に係合すると共に揺動部材の揺動動作に連動して上下方向に回動自在にケース本体に取り付け、化学発光体が発光した後にさらに操作レバーを壁面等に向かって押すと、押さえ部材が上方へ回動して化学発光体の上端部を解放するようにすることができる。
また、ケース本体の前部を覆い且つケース本体の下端部を中心として開閉自在に上蓋を取り付け、操作レバーを壁面等に向かって押したときに揺動部材の上端部によって上蓋が押されて開くように構成することもできる。
【０００８】
第２の発明に係る非常用ライトは、壁面等に取り付けられるケース本体と、ケース本体内に保持されるスティック状の化学発光体と、化学発光体の中央部の近傍に回転自在に設けられると共にその回転角度に応じて化学発光体を押圧して折り曲げる押圧治具と、押圧治具に連結された取っ手とを備え、取っ手を回すことにより押圧治具を介して化学発光体を折り曲げ、発光させるものである。
【０００９】
なお、ケース本体の前部を覆うように開閉自在に上蓋を設け、この上蓋に押圧治具及び取っ手を保持させることができる。
【００１０】
【発明の実施の形態】
以下、この発明の実施の形態を添付図面に基づいて説明する。
図１にこの発明の実施の形態に係る非常用ライトを示す。非常用ライトは、壁面１１に取り付けられるケース本体１２を有し、このケース本体１２に揺動部材１３が取り付けられている。揺動部材１３は、壁面１１に対して前後方向に揺動自在に設けられ、その下端部がケース本体１２の下方に延出して操作レバー１４を形成している。ケース本体１２の上部には上下方向に回動自在に押さえ部材１５が取り付けられており、ケース本体１２と揺動部材１３と押さえ部材１５により２本の化学発光体１６が互いに並列で且つ直立して保持されている。さらに、ケース本体１２の前部を覆うための上蓋１７がケース本体１２の下端部を中心として開閉自在に取り付けられている。
【００１１】
ケース本体１２は、図２に示されるように、その中央部に突起部１８を有しており、突起部１８の両側にそれぞれ揺動部材支持部１９が形成されている。ケース本体１２の上部には押さえ部材支持部２０が形成され、下部には上蓋支持部２１が形成されている。また、突起部１８と押さえ部材支持部２０及び上蓋支持部２１との間にはそれぞれ化学発光体保持部２２が形成され、さらにケース本体１２の上端部には上蓋１７を係止するための凹部２３が形成されている。
【００１２】
揺動部材１３は、図３に示されるように、互いに平行に上方に向かって延びる一対の腕部２４を有し、これら腕部２４の中央外側部にはケース本体１２の揺動部材支持部１９に開口された支持孔に嵌合して揺動中心となる軸部２５が形成されている。各腕部２４は、軸部２５が形成された付近で「く」の字状に屈曲した側面形状を有している。双方の腕部２４の根元部分にはこの揺動部材１３の幅方向に延びる係止部２６が突出し、係止部２６の下方に操作レバー１４が形成されている。また、各腕部２４の先端部の内側には、押さえ部材１５に係合する係合突起部２７が形成されている。
【００１３】
押さえ部材１５は、図４に示されるように、ケース本体１２の押さえ部材支持部２０に形成された凹部に嵌合される軸２８を有すると共に、化学発光体１６の上端部に係合する押さえ爪２９を有している。
【００１４】
図５に示されるように、上蓋１７の下端両側部の内側には、ケース本体１２の上蓋支持部２１に開口された支持孔に嵌合する軸部３０が設けられている。上蓋１７の上端部には、押さえ部材１５の押さえ爪２９の上部に係合する突起部３１が形成されると共にケース本体１２の凹部２３に係合する凸部３２が形成されている。
【００１５】
図１において、壁面１１にビス３３を用いてワッシャ３４が固定され、このワッシャ３４を図２に示すケース本体１２の取付孔３５に通してケース本体１２を下方へスライドさせることによりケース本体１２の壁面１１への取り付けが行われる。なお、ケース本体１２の裏面には図示しない両面テープが貼付されており、ビス３３を固定することができないような壁面１１に対しては、両面テープを用いてケース本体１２を取り付けることができる。
【００１６】
ケース本体１２の揺動部材支持部１９に開口された支持孔に揺動部材１３の軸部２５が嵌合し、これにより揺動部材１３は壁面１１に対して前後方向に揺動自在に設けられると共に操作レバー１４がケース本体１２の下方に延出する。また、ケース本体１２の押さえ部材支持部２０に形成された凹部に押さえ部材１５の軸２８が嵌合し、これにより押さえ部材１５は軸２８を中心として上下方向に回動自在となっている。この押さえ部材１５とケース本体１２との間にはＵ字形に屈曲された板バネ３６が配置され、この板バネ３６によって押さえ部材１５は上方へ傾動するように付勢されている。ただし、図１の状態では、揺動部材１３の係合突起部２７が押さえ部材１５に係合するために、押さえ部材１５は上方へ傾動せずに保持されている。また、ケース本体１２の上蓋支持部２１に開口された支持孔に上蓋１７の軸部３０が嵌合し、これにより上蓋１７は下端部の軸部３０を中心として開閉自在となっている。
【００１７】
化学発光体１６は管形状のスティック本体の上部にスティック本体より径の大きなヘッドが取り付けられ、このヘッドによりスティック本体内を封止している。スティック本体及びヘッドは軟質プラスチックから形成され、内部に第１の反応液を収容すると共に第２の反応液が充填されたガラス製のアンプルを収納している。化学発光体１６を折って内部のアンプルを破損することにより第１の反応液と第２の反応液とが混合・反応し、発光する。第１及び第２の反応液としては、例えばエステルに蛍光体を混合したものを第１の反応液、過酸化水素を第２の反応液として使用することができる。また、上述の第１及び第２の反応液の構成を逆にしてもよい。
【００１８】
このような構造の非常用ライトに化学発光体１６をセットする方法について述べる。まず、操作レバー１４が壁面１１の方向に押され、押さえ部材１５が揺動部材１３の係合突起部２７から解放され、上蓋１７が下方に垂れ下がって開いているものとする。ヘッドを上に向けた状態で化学発光体１６を持ち、化学発光体１６の下部を揺動部材１３の係止部２６とケース本体１２との間に挿入すると共に押さえ部材１５を上方へ傾動させてヘッドが押さえ部材１５の押さえ爪２９と化学発光体保持部２２との間に位置するように化学発光体１６を差し込む。
【００１９】
次に、上蓋１７を引き上げて途中まで閉じ、この状態で化学発光体１６を壁面１１の方向へ押し込む。このとき、化学発光体１６の背面がケース本体１２の突起部１８に当接するが、梃子の原理で揺動部材１３の係止部２６を手前に押しつけ、これにより揺動部材１３は下端が手前に、上端が壁面１１側に移動するように揺動する。その結果、揺動部材１３の係合突起部２７が押さえ部材１５を押圧し、押さえ部材１５は上方へ傾動しないように拘束されて押さえ爪２９により化学発光体１６を保持する。その後、上蓋１７を閉じると、上蓋１７の凸部３２がケース本体１２の凹部２３に係合すると共に上蓋１７の突起部３１によって押さえ部材１５が押さえ込まれる。このようにして、２本の化学発光体１６を同時にセットすることができる。
【００２０】
図６に示されるように、上蓋１７及び操作レバー１４には、それぞれ蓄光性に優れたラベル３７及び３８が貼付され、停電時等の暗闇の中でもこの非常用ライトの位置を確認することができると共に操作レバー１４を押すという操作が容易に分かるようになっている。
【００２１】
ここで、非常時の発光操作について説明する。まず、ラベル３８が貼付されている操作レバー１４を押すと、図７（Ａ）に示されるように、揺動部材１３の係止部２６が化学発光体１６の下部を壁面１１に向かって押し込むこととなる。化学発光体１６は、その上端部のヘッドが押さえ部材１５の押さえ爪２９に固定されているため、ケース本体１２の突起部１８を支点、係止部２６を作用点として梃子の原理により容易に「く」の字状に折り曲げられ、このとき内部のガラス製のアンプルが破損して化学発光体１６が発光する。
【００２２】
さらに操作レバー１４を押すと、図７（Ｂ）に示されるように、揺動部材１３の各腕部２４の上端部が手前に突き出て上蓋１７の裏面を押し、上蓋１７の凸部３２がケース本体１２の凹部２３から外れて上蓋１７が開く。同時に、それまで揺動部材１３の係合突起部２７により拘束されていた押さえ部材１５が解放され、板バネ３６の付勢力及び化学発光体１６のヘッドからの押圧力により上方へ回動する。操作レバー１４を押している間は揺動部材１３のフック３９が上蓋１７のフック４０に係合して上蓋１７は半開きの状態のまま維持されるが、操作レバー１４を離すと、これらフック３９及び４０の係合が外れて上蓋１７は鉛直下方に垂れ下がるまで開放される。
【００２３】
発光した２本の化学発光体１６のうちの一方を取り出し、手に持って避難等を行い、他方は残留者のためにケース本体１２に残しておく等の措置を採ることができる。
【００２４】
この実施の形態に係る非常用ライトは、操作レバー１４を押すだけで、化学発光体１６の発光及び上蓋１７の開放を行うことができ、極めて操作性に優れている。また、梃子の原理を利用して化学発光体１６を折り曲げるため、小さな力で操作することが可能であり、壁面１１への負担も少ない。
【００２５】
図８に他の実施の形態に係る非常用ライトを示す。壁面等にケース本体４１が取り付けられ、ケース本体４１内にスティック状の２本の化学発光体１６が互いに並列で且つ直立して保持されている。これらの化学発光体１６の間で且つ化学発光体１６の中央部の近傍には押圧治具４２が壁面に対してほぼ垂直な軸の回りに回転自在に設けられている。この押圧治具４２は、楕円形の正面形状を有しており、実線で示されるようにその長軸が鉛直方向を向く回転位置においては双方の化学発光体１６に当接しないが、破線で示されるようにその長軸が水平方向を向く回転位置においては双方の化学発光体１６をそれぞれ左右に押圧してこれらを折り曲げる。押圧治具４２には長尺の取っ手４３が連結されている。
【００２６】
非常時には、取っ手４３を回して押圧治具４２を例えば９０°回転し、これにより化学発光体１６を折り曲げて発光させる。
【００２７】
実際には、図９に示されるように、ケース本体４１の前部を覆うように開閉自在に上蓋４４を設け、押圧治具４２と取っ手４３とをそれぞれ上蓋４４の裏面側及び表面側に位置させてこれらを互いに連結して回転自在に取り付けることが望ましい。さらに、押圧治具４２にロック部材４５を連結し、ケース本体４１にロック部材４５に適合する鍵孔４６を形成して、取っ手４３を回すことにより上蓋４４の開閉をロックするように構成することもできる。上蓋４４を閉じた状態で取っ手４３を９０°回すと押圧治具４２により化学発光体１６が折り曲げられて発光し、さらに９０°回すとロック部材４５が鍵孔４６から開放されて上蓋４４が開き、発光した化学発光体１６を取り出すことができる。
【００２８】
図８及び図９に示した非常用ライトにおいても、取っ手４３を回すだけで化学発光体１６の発光を行うことができ、極めて操作性に優れていると共に梃子の原理を利用して化学発光体１６を折り曲げるため、小さな力で操作することが可能であり、壁面１１への負担も少ない。このような構造の非常用ライトに化学発光体１６をセットするには、上蓋４４を閉じてロック部材４５が鍵孔４６にロックされた状態、あるいは押圧治具４２の長軸が化学発光体１６に当接しない鉛直方向を向く回転位置にしてから、例えば上部の蓋体４７を開けて化学発光体１６をケース本体４１内に差し込むようにすればよい。
【００２９】
なお、上記の双方の実施の形態においては、２本の化学発光体１６を並べて配置したが、これに限るものではなく、１本あるいは３本以上の化学発光体を配置するように構成することもできる。
【００３０】
【発明の効果】
以上説明したように、この発明によれば、梃子の原理を利用して小さな力でも容易に化学発光体を発光させて取り出すことができ、操作性に優れると共に壁面等への負担も少ない非常用ライトを実現することが可能となる。
【図面の簡単な説明】
【図１】この発明の実施の形態に係る非常用ライトを示し、（Ａ）は側面断面図、（Ｂ）は上蓋を省略した正面図である。
【図２】実施の形態で用いられたケース本体を示し、（Ａ）は正面図、（Ｂ）は側面図である。
【図３】実施の形態で用いられた揺動部材を示し、（Ａ）は正面図、（Ｂ）は側面図である。
【図４】実施の形態で用いられた押さえ部材を示し、（Ａ）は側面図、（Ｂ）は底面図である。
【図５】実施の形態で用いられた上蓋を示し、（Ａ）は正面図、（Ｂ）は側面図である。
【図６】実施の形態に係る非常用ライトを示す正面図である。
【図７】実施の形態に係る非常用ライトの作動状態を示し、（Ａ）はレバーを押した状態を示す側面断面図、（Ｂ）はさらにレバーを押して上蓋を開いた状態を示す側面断面図である。
【図８】他の実施の形態に係る非常用ライトの内部を示す正面図である。
【図９】他の実施の形態に係る非常用ライトを示す斜視図である。
【図１０】従来の非常用ライトを示す側面断面図である。
【符号の説明】
１１    壁面
１２，４１    ケース本体
１３    揺動部材
１４    操作レバー
１５    押さえ部材
１６    化学発光体
１７，４４    上蓋
１８    突起部
２６    係止部
２７    係合突起部
２９    押さえ爪
３６    板バネ
４２    押圧治具
４３    取っ手
【図１】
0003595642.tif 000002
【図２】
0003595642.tif 000003
【図３】
0003595642.tif 000004
【図４】
0003595642.tif 000005
【図５】
0003595642.tif 000006
【図６】
0003595642.tif 000007
【図７】
0003595642.tif 000008
【図８】
0003595642.tif 000009
【図９】
0003595642.tif 000010
【図１０】
0003595642.tif 000011